(57)【要約】【課題】掃除機本体内に設けられ、電動で電源コードを巻き取るコードリールの回転軸が駆動用電動機と直結されて、電源コードを引き出す際に駆動用電動機自体が負荷となり引き出し力が増大して使い勝手が悪くなる、あるいは駆動用電動機が発電機となり、電気的に接続された回路にダメージを与えることがあった。【解決手段】コードリール１３の回転軸は駆動用電動機１７の出力軸と電磁クラッチ１６を介して連結され、電磁クラッチ１６は電源コード３のプラグがコンセントに挿入されていないときにはＯＦＦ状態になって電動機の出力軸の動力が伝達しないように設けられ、電動機を運転したときには電磁クラッチ１６がＯＮし前記電動機の出力軸とコードリール１３の回転軸が連動する構成としたことにより、引き出し力が増大して使い勝手が悪くなる、あるいは回路にダメージを与える等の課題を解消した電気掃除機を提供できる。【選択図】図１
2010075611.tif 000002
【特許請求の範囲】
【請求項１】
吸引風を発生させる電動送風機と、コードリールに巻きつけられ電気を供給する電源コードと、バッテリーとを収納するモータ室と、開口部を有して前記電動送風機の前方に配置され紙袋等の集塵フィルターを配した集塵室とを備えた掃除機本体において、前記コードリールの回転軸は駆動用電動機の出力軸と電磁クラッチを介して連結され、前記駆動用電動機と電磁クラッチは前記バッテリーで運転され、前記電磁クラッチは前記電源コードのプラグがコンセントに挿入されていないときにはＯＦＦ状態で駆動用電動機の出力軸の動力が伝達しないように構成され、前記駆動用電動機を運転させたときのみ前記電磁クラッチがＯＮして前記駆動用電動機の出力軸の動力が電磁クラッチを介してコードリールの回転軸に伝達できることを特徴とする電気掃除機。
【請求項２】
駆動用電動機の回転速度を制御する制御回路を内蔵したことを特徴とする請求項１項記載の電気掃除機。
【請求項３】
コードリールの回転軸をベアリングなどの回転トルクの低い軸受けで保持し、電源コードのプラグがコンセントに挿入された時のプラグの保持力よりも、コードリールの回転軸の回転トルクを小さくしたことを特徴とする請求項１または２記載の電気掃除機。
【請求項４】
プラグがコンセントに挿入されたときに、その電圧を検知して電磁クラッチをＯＮさせると共に、駆動用電動機を逆回転させてコードリールに巻かれた電源コードを自動で排出することを特徴とする請求項１〜３のいずれか１項記載の電気掃除機。
【発明の詳細な説明】
【技術分野】
【０００１】
本発明は、ホース、延長管を備えた床移動型の電気掃除機に関するものである。
【背景技術】
【０００２】
従来のこの種電気掃除機に内蔵されるコードリールとしてはコードリールの回転軸と電動機の出力軸を直結したものがあった（例えば、特許文献１参照）。
【特許文献１】特開２００２−２２６１４３号公報
【発明の開示】
【発明が解決しようとする課題】
【０００３】
しかしながら、従来技術のようにコードリールの回転軸と駆動用電動機の出力軸とを直結すると電源コードを引っ張ったときに駆動用電動機自体が負荷となり引っ張り力が重くなるという欠点があった。
【０００４】
また、駆動用電動機の軸が外力で回転させられるため、駆動用電動機自体が発電機となり、駆動用電動機と電気的に接続された回路などにダメージを与える危険性があった。
【０００５】
本発明は、上記課題を解決するもので、コードリールの回転軸と駆動用電動機の出力軸は電磁クラッチを介して連結されており、掃除機を運転していないときは電磁クラッチがＯＦＦ状態になって連結を解除しているので、コードを引き出す際の引っ張り力を小さくでき使い勝手を向上させることができると共に、駆動用電動機が発電することもなくなるので掃除機に内蔵された回路等にダメージを与える危険性も無くすることができるものである。
【課題を解決するための手段】
【０００６】
上記従来の課題を解決するために本発明の電気掃除機は、吸引風を発生させる電動送風機と、コードリールに巻きつけられ電気を供給する電源コードと、バッテリーとを収納するモータ室と、開口部を有して前記電動送風機の前方に配置され紙袋等の集塵フィルターを配した集塵室とを備えた掃除機本体において、前記コードリールの回転軸は駆動用電動機の出力軸と電磁クラッチを介して連結され、前記駆動用電動機と電磁クラッチは前記バッテリーで運転され、前記電磁クラッチは前記電源コードのプラグがコンセントに挿入されていないときにはＯＦＦ状態で駆動用電動機の出力軸の動力が伝達しないように構成され、前記駆動用電動機を運転させたときのみ前記電磁クラッチがＯＮして前記駆動用電動機の出力軸の動力が電磁クラッチを介してコードリールの回転軸に伝達できることを特徴とするもので、掃除機を使い始める際はコードリールの回転軸がフリー状態なので、極めて軽く電源コードを引き出せ、使い勝手を向上させることができると共に、駆動用電動機が発電することもなくなるので回路等にダメージを与える危険性も無くすることができる。
【発明の効果】
【０００７】
本発明の電気掃除機は、電磁クラッチがＯＦＦになっているため、コードリールの回転軸は駆動用電動機の出力軸と連動しておらずフリーな状態になっており、電源コードを引き出す際に駆動用電動機の負荷を受けないので、極めて軽く引き出すことができ、かつ掃除が終わった時には自動で巻き取ることが出来ると共に、掃除機に内蔵された回路等にダメージを与えることもなくなる。
【発明を実施するための最良の形態】
【０００８】
第１の発明は、吸引風を発生させる電動送風機と、コードリールに巻きつけられ電気を供給する電源コードと、バッテリーとを収納するモータ室と、開口部を有して前記電動送風機の前方に配置され紙袋等の集塵フィルターを配した集塵室とを備えた掃除機本体において、前記コードリールの回転軸は駆動用電動機の出力軸と電磁クラッチを介して連結され、前記駆動用電動機と電磁クラッチは前記バッテリーで運転され、前記電磁クラッチは前記電源コードのプラグがコンセントに挿入されていないときにはＯＦＦ状態で駆動用電動機の出力軸の動力が伝達しないように構成され、前記駆動用電動機を運転させたときのみ前記電磁クラッチがＯＮして前記駆動用電動機の出力軸の動力が電磁クラッチを介してコードリールの回転軸に伝達できることを特徴とするものであり、掃除機を使用する前に電源コードを極めて軽く引き出すことができ、掃除が終わった時には自動で、かつ定速度で巻き取ることができる。
【０００９】
第２の発明は、第１の発明に加えて、コードリールの回転速度を制御する制御回路を内蔵したことを特徴とするもので、一定の速度で電源コードを巻き取るので、電源コードがはねあがって使用者にあたったり、巻き取り残りが生じたりしないので、更に使い勝手を向上させることができる。
【００１０】
第３の発明は、第２の発明に加えて、コードリールの回転軸をベアリングなどの回転トルクの低い軸受けで保持し、電源コードのプラグがコンセントに挿入された時のプラグの保持力よりも、コードリールの回転軸の回転トルクを小さくしたことを特徴とするもので、掃除機を使用するときに電源コードを少しだけ引き出し、プラグをコンセントに挿したまま掃除機を移動させるだけで電源コードが引き出せるので、いちいち電源コードを全て引き出す必要がなくなり使い勝手が著しく向上させることができる。
【００１１】
第４の発明は、第３の発明に加えて、プラグがコンセントに挿入されたときに、その電圧を検知して電磁クラッチをＯＮさせると共に、駆動用電動機を逆回転させてコードリールに巻かれた電源コードを自動で排出することを特徴とするもので、更に使い勝手を向上させることができる。
【００１２】
以下、本発明の実施の形態について、図面を参照しながら説明する。なお、この実施の形態により本発明が限定されるものではない。
【００１３】
（実施の形態１）
本発明の第１の実施の形態における電気掃除機について図１〜図３を用いて説明する。
【００１４】
図１は、本実施の形態における電気掃除機の縦断面図である。
【００１５】
図１において、１は掃除機本体で、吸い込み気流を発生させる電動送風機２、電気を供給する電源コード３、電池などのバッテリー４を内蔵したモータ室５と、紙袋６などのフィルターを収納する集塵室７で構成され、前記モータ室５と集塵室７は隔壁８で仕切られていると共に、前記隔壁８の電動送風機２と対向した位置に連通孔９を設けている。
【００１６】
また、図２に示すように、掃除機本体１には、前記集塵室７と連通してホース１０、延長管１１、及び床ノズル１２が取り付けられている。
【００１７】
前記、電源コード３はコードリール１３に巻かれており、コードリール１３の中心にはベアリングなどの回転トルクの小さい軸受け１４で回転自在に保持された回転軸１５を設けている。この回転軸１５は電磁クラッチ１６を介して駆動用電動機１７の出力軸１８と連動するように構成されている。
【００１８】
また、電源コード３の先端にはコンセントに挿し込むためにプラグ１９が設けられている。
【００１９】
上記構成による作用は以下の通りである。
【００２０】
まず、掃除機本体１を使用する際に、使用者は電源コード３に設けたプラグ１９を持って電源コード３を引き出す。この時コードリール１３の回転軸１５はベアリング等の軸受け１４で回転自在に保持されており、かつ前記回転軸１５の先に連結された電磁クラッチ１６はＯＦＦ状態になっているので、コードリール１３は駆動用電動機１７の負荷を受けることなくフリーな状態になっている。
【００２１】
従って極めて小さな力で電源コード３を引き出すことができると共に、駆動用電動機１７と電気的に接続されている電気回路（図示せず）にダメージを与えることは無い。
【００２２】
また、電源コード３のプラグ１９をコンセント（図示せず）に差し込んだとき、プラグ１９の保持力よりも、前記コードリール１３の回転軸１５の回転トルクを小さくなるようにしているので、電源コード３を全て引き出さなくても、少しだけ引き出して掃除機本体１を引き回すだけで自動的に電源コード３が引き出されるようになり、使い勝手が向上する。
【００２３】
次に、電源コード３から電力が供給され電動送風機２が運転し気流が発生すると、この気流は空気と一緒に塵埃を床ノズル１２から吸い込み、延長管１１、ホース１０を通って集塵室７内に具備した紙袋６により塵埃のみ捕集された後、空気は電動送風機２内を冷却した後掃除機本体１外へ排出される。
【００２４】
次に、掃除が終わった時は、掃除機本体１内のバッテリー４により、電磁クラッチ１６がＯＮ状態となり、駆動用電動機１７の出力軸１８とコードリール１３の回転軸とが電磁クラッチ１６を介して連結されることになる。
【００２５】
そしてバッテリー４により駆動用電動機１７が運転されコードリール１３が回転し、電源コード３が自動で巻かれることになる。
【００２６】
駆動用電動機１７でコードリール１３を回転させるので、電源コード３の巻き込み速度を一定にすることができ、電源コード３が跳ね上がったり、巻残りが生じたりすることも無く、使い勝手を著しく向上させることができる。
【００２７】
また駆動用電動機１７の印加電圧を調整すれば巻き取り速度を任意に変えることが可能となることは言うまでもない。
【００２８】
また、上記電源コード３、電磁クラッチ１６、電動機１７などの重量物を掃除機本体１底部に設けて掃除機本体１の重心を低くしているので、掃除機本体１を引き回した際に、掃除機本体１がひっくり返ったりすることなく安定して操作できるようになる。
【００２９】
以上のように、掃除機本体１に内蔵された電源コード３を内蔵した電気回路にダメージを与えることなく極めて小さな力で引き出せ、かつ全て引き出す必要もなくなり、また電源コードを巻き取る際も一定速度で電源コードを巻き取れるようになるので、使い勝手を著しく向上させることができる。
【産業上の利用可能性】
【００３０】
以上のように、本発明にかかる電気掃除機は、掃除機を使用するときに電源コードを極めて軽く引き出せると共に、掃除が終わったときには自動で、かつ一定速度で電源コードを巻き取ることができるので、使い勝手を著しく向上させることができる。
【図面の簡単な説明】
【００３１】
【図１】本発明の実施の形態１における電気掃除機の縦断面図
【図２】同、電気掃除機の全体斜視図
【図３】同、電気掃除機のコードリール駆動部を示す部分半断面図
【符号の説明】
【００３２】
１    掃除機本体
２    電動送風機
３    電源コード
４    バッテリー
５    モータ室
６    紙袋
７    集塵室
８    隔壁
９    連通孔
１０  ホース
１１  延長管
１２  床ノズル
１３  コードリール
１４  軸受け
１５  回転軸
１６  電磁クラッチ
１７  駆動用電動機
１８  出力軸
１９  プラグ
【図１】
2010075611.tif 000003
【図２】
2010075611.tif 000004
【図３】
2010075611.tif 000005